(57)【要約】【課題】低プロファイルバックライト装置を提供する。【解決手段】バックライト装置（８）は、放射電磁エネルギーの点光源を有している。全反射（ＴＩＲ）レンズ（１４）は、放射電磁エネルギーの経路に沿って配置されている垂直中心軸（２４）を有している。ＴＩＲレンズ（１４）は、放射電磁エネルギー（４０）を受け出力面（３８）に均等に分配する。ＴＩＲレンズ（１４）を出る放射電磁エネルギー（４０）は実質的にコリメートされ、垂直中心軸（２４）に平行な垂直光路を規定する。第一拡散体（１８，２０）は、ＴＩＲレンズの出力面から放射電磁エネルギーを受け、垂直光路に対して所定の第一角度に放射電磁エネルギーを拡散する。【選択図】【特許請求の範囲】
【請求項１】
放射電磁エネルギーの点光源と、
前記放射電磁エネルギーの経路に沿って配置されている垂直中心軸を有し、前記放射電磁エネルギーを受け出力面に均等に分配する全反射（ＴＩＲ）レンズを備え、前記ＴＩＲレンズを出る前記放射電磁エネルギーは実質的にコリメートされ、前記垂直中心軸に平行な垂直光路を規定し、さらに、
前記ＴＩＲレンズの前記出力面から前記放射電磁エネルギーを受け、前記垂直光路に対して所定の第一角度に前記放射電磁エネルギーを拡散する第一拡散体を備えているバックライト装置。
【請求項２】
前記放射電磁エネルギーの経路に沿って前記ＴＩＲレンズと前記第一拡散体の間に配置されている第二拡散体を備え、前記第二拡散体を出る前記放射電磁エネルギーは前記垂直光路に対する第二角度を規定し、前記第二角度は前記第一角度よりも小さい請求項１のバックライト装置。
【請求項３】
前記ＴＩＲレンズと前記第一拡散体の間に配置されている液晶ディスプレイ（ＬＣＤ）素子を備えている請求項１のバックライト装置。
【請求項４】
前記点光源は発光ダイオード（ＬＥＤ）を備えている請求項１のバックライト装置。
【請求項５】
前記点光源は、前記放射電磁エネルギーを前記ＴＩＲレンズ中に拡散する拡散体光学部品を備えている請求項１のバックライト装置。
【請求項６】
前記点光源は、
前記放射電磁エネルギーを反射する前記ＴＩＲレンズ下に配置されている反射体と、
反射された前記放射電磁エネルギーを受け前記放射電磁エネルギーを前記ＴＩＲレンズ中に拡散する前記反射体の上方に配置されている拡散体光学部品を備えている請求項１のバックライト装置。
【請求項７】
前記ＴＩＲレンズの下方に配置されている複数の開口が形成されている第一白色拡散体と、
垂直方向に前記第一白色拡散体の下方に配置されている第二白色拡散体を備え、
前記第一および第二白色拡散体はそれらの間に、前記点光源から放射された前記放射電磁エネルギーを混合する光学キャビティを規定し、
前記第二白色拡散体によって反射された前記放射電磁エネルギーは、前記複数の開口を介して受けられ、前記ＴＩＲレンズ中に拡散される請求項１のバックライト装置。
【請求項８】
前記点光源と前記ＴＩＲレンズの間の光路に沿って前記点光源からの前記放射電磁エネルギーを前記ＴＩＲレンズへ透過する逸脱体レンズを備えている請求項１のバックライト装置。
【請求項９】
前記第一拡散体はホログラフィー拡散体である請求項１のバックライト装置。
【請求項１０】
前記ＴＩＲレンズは多角形形状をしている請求項１のバックライト装置。
【請求項１１】
前記ＴＩＲレンズは四角形状をしている請求項１０のバックライト。
【請求項１２】
前記ＴＩＲレンズ拡散体は六角形形状をしている請求項１０のバックライト。
【発明の詳細な説明】
【背景技術】
【０００１】
プリズムシートとしても知られている輝度増強膜（ＢＥＦ）は、光学基板膜上にプリズムパターンを形成することによって作られる。ＢＥＦは、バックライトの前面に組み込まれた場合、バックライトの出力側に光を集中させる役目をする。プリズムシートは、本質的に、消費パワーを一定に維持しながら輝度レベルを押し上げるための膜である。図１は、液晶ディスプレイ１（ＬＣＤ）に使用される共通のアーキテクチャを示している。冷蛍光５と光ガイド板６は、プリズムシートとしても知られている、互いに９０°交差された第一および第二ＢＥＦ４ａおよび４ｂを通して光を透過するバックライトとして働く。光は、第一ＢＥＦ４ａに入射する前に、第一拡散体３ａを通過する。第二ＢＥＦ４ｂから出た光は、第二拡散体３ｂを通過し、最後にＬＣＤパネル２を通過する。図１に例証された構成では、ＢＥＦ４ａ，ｂは、約±２１°に制限された出力放射（光）パターンを提供する。
【０００２】
ＢＥＦ４ａ，ｂは、輝度利得を提供するためにプリズム構造を利用する。ＢＥＦ４ａ，ｂは、ＬＣＤパネル２を通るように光を方向付け、軸上の見物人に向けて増大した輝度を提供する。単一のシート（たとえば第一ＢＥＦ４ａ）は、輝度の６０％までの増大を提供し、９０°交差した二枚のシート（たとえば図１に示される第一および第二ＢＥＦ４ａ，ｂ）は、１２０％までの輝度増大を提供することができる。増大した輝度は省電力を提供する。ＢＥＦ４ａの単一シートは、モニターやテレビのＬＣＤパネル２と共に使用され得る。ＢＥＦ４ａ，ｂの交差シートは、ノート型パーソナルコンピューターのＬＣＤパネル２と共に使用され得る。
【０００３】
図１に示されるように、バックライトは、ＬＣＤに使用される照明の形態である。バックライトは、側方または後方からＬＣＤを照明する。バックライトは、低い光量または輝度の太陽光状況下で小型および大型ディスプレイの視認性を増大させる。コンピューターディスプレイとＬＣＤテレビでは、バックライトは、ＣＲＴディスプレイと同様の手法で光を生成する。バックライトは、カラーまたはモノクロとすることができる。テレビまたはコンピューターモニターに使用されるものなどのカラーＬＣＤディスプレイは、ほとんどの色スペクトルをカバーするために白色バックライトを一般に使用する。
【０００４】
広面積バックライトシステムは、いくつか述べれば、ラップトップまたはノート型コンピューターシステム、大型スクリーンＬＣＤスクリーン、太陽光読取可能航空電子機器／自動車ディスプレイ、航空交通管制ディスプレイ、医療ディスプレイシステムを含むさまざまな大型ディスプレイシステムに使用される。全地球測位システム（ＧＰＳ）ナビゲーションシステムを有する自動車ディスプレイや民間航空機コックピットディスプレイなどのシステムは、非常に明るい背面照明ＬＣＤディスプレイを必要とする。
【０００５】
ねじられネマチック（ＴＮ）および超ねじられ（ＳＴＮ）ＬＣＤは、ＴＮおよびＳＴＮ液晶材料の光学特性のために広視野角で見たときに低い性能に苦しむタイプのディスプレイである。色シフトおよびコントラスト減少は、近垂直角で見た光線に対する高視野角で見た液晶材料を透過した光線の光路長の差による。ＬＣＤ設計者は、液晶材料の注意深い選択と、さまざまな内部ＬＣＤ修正を利用することによって、この問題を解決しようとした。
【０００６】
従来の広面積バックライトシステムは、バックライトシステムの出力開口表面に直接発光を提供する発光ダイオード（ＬＥＤ）などの放射電磁エネルギーの点光源のアレイを利用する。点光源と出力開口表面の間に光学キャビティが形成される。従来のバックライトシステムは、光学キャビティ内で光を混合するために比較的深い光学キャビティを必要とする。拡散体は、より良い表面均一さを提供するが、光出力を低減し、バックライトシステムの総合効率を減少させる。さらに、バックライトシステム用の従来のＬＥＤ／導光路技術で視野を低減または調整するのは難しい。点光源からの光出力をコリメートし、コリメート光を出力開口に方向付ける新規で改善されたバックライトシステムと、光出力を拡散してそれを出力視野に合わせる拡散体の要望がある。
【発明の概要】
【０００７】
一実施形態では、バックライト装置は、放射電磁エネルギーの点光源を備えている。垂直中心軸を有する全反射（ＴＩＲ）レンズが、放射電磁エネルギーの経路に沿って配置されていて、放射電磁エネルギーを受けて出力面に均等に分配する。ＴＩＲレンズを出た放射電磁エネルギーは実質的にコリメートされ、垂直中心軸に平行な垂直光路を規定する。第一拡散体が、ＴＩＲレンズの出力面からの放射電磁エネルギーを受け、垂直光路に対して所定の第一角度に放射電磁エネルギーを拡散する。
【図面の簡単な説明】
【０００８】
【図１】図１は、液晶ディスプレイ（ＬＣＤ）に使用される共通のアーキテクチャを示している。
【図２】図２は、レンズアレイを備えている低プロファイルバックライト装置の一実施形態を示している。
【図３】図３は、３−３線に沿って破断された図２に示されたレンズアレイの断面図である。
【図４】図４は、ＬＣＤ素子用のバックライト照明光源として働くレンズを備えているレンズ素子の一実施形態の断面図である。
【図４Ａ】図４Ａは、図４に示されたレンズ素子の一部の拡大図である。
【図５】図５は、ＬＣＤ素子用バックライト照明光源として働くレンズを備えているレンズ素子の一実施形態の断面図である。
【図６】図６は、ＬＣＤ素子用のバックライト照明光源として働くレンズを備えているレンズ素子の一実施形態の断面図である。
【図７】図７は、ＬＣＤ素子用のバックライト照明光源として働くレンズを備えているレンズ素子の一実施形態の断面図である。
【図８】図８は、レンズアレイを備えている低プロファイルバックライト装置の一実施形態を示している。
【図９】図９は、９−９線に沿って破断された図８に示されたレンズアレイの断面図である。
【図１０】図１０は、半径Ｒの円に内接した個別正方形レンズ素子の一実施形態を示している。
【図１１】図１１は、半径Ｒ＝Ｓの円に内接した個別六角形レンズ素子の一実施形態を示している。
【発明を実施するための形態】
【０００９】
さまざまな実施形態について詳細に説明する前に、実施形態は、それらの適用と使用において、添付の図面と説明に例証された部分の構造と配列に限定されないことに注意すべきである。例証の実施形態は、実施されても、他の実施形態や変形例や修正例に組み込まれてもよく、さまざまな技術の中で実践または実行されてもよい。以下に開示されるバックライト装置構成は単なる例証であり、それの要旨や用途を限定するつもりはない。さらに、特に示されていない限り、ここに使用される用語と表現は、読者の便宜ための例証の実施形態を説明する目的で選ばれており、その要旨を限定するものではない。
【００１０】
一実施形態では、バックライト装置は、点光源からの光をコリメートし、コリメート光をＬＣＤ素子に通し、続いて光を所定の視野に拡散する全反射（ＴＩＲ）光学素子のアレイを備えている。視野は、見物人の視点から決定され得る。コリメート光は、拡散体システムを使用して、所定の視野に転送され得る。一実施形態では、バックライト装置は、ＬＥＤ点光源と、ＬＥＤ点光源からの光をコリメートするＴＩＲレンズのアレイを備えている。コリメート光は、ホログラフィック拡散体を使用して、所定の視野に転送され得る。
【００１１】
図２は、レンズアレイ１０を備えている低プロファイルバックライト装置８の一実施形態を示している。この分野の当業者は、低プロファイルレンズは、物質の屈折率の関数としてほぼ０．２ないし０．３の範囲内にｆ＃（たとえばレンズの直径に対する焦点距離の比）を有するレンズとして規定され得ることを認めるであろう。たとえば、ポリカーボネートはｆ＃≒０．２として、光学等級アクリル樹脂はｆ＃≒０．２５を有し、シリコーンはｆ＃≒０．３を有している。レンズアレイ１０は、点光源によって発せられた光をコリメートし、コリメート光をＬＣＤ素子に通過させ、続いてＬＣＤ素子を透過した光を所定の視野に拡散する光学素子を使用している。視野は、見物人の視点から決定され得る。例証の実施形態では、レンズアレイ１０は、個別正方形レンズ素子１２の４×４アレイとして形成されている。レンズ素子１２は画素と呼ばれ得る。アレイは、ｎ×ｍ行列として配列された整数個の個別レンズ素子１２を含み得、ここでｎとｍは任意の整数であり、一実施形態ではｎ＝ｍである。個別レンズ素子１２のサイズと形状は特定の用途に応じて選択され得る。例証の実施形態では、各レンズ素子１２は正方形を規定している。他の実施形態では、レンズ素子１２は、たとえば図８に示される六角形形状レンズ素子１４２など、たくさんのサイズと形状で作られ得る。他の実施形態では、レンズ素子１２の形状はたくさんの他の好適な多角形形状から選ばれ得る。したがって、実施形態はこの文脈に限定されない。
【００１２】
図３は、３−３線に沿って破断されたレンズアレイ１０の断面図である。個別レンズ素子１２のおのおのはレンズ１４と放射電磁エネルギーの点光源１６を備えている。一実施形態では、個別レンズ素子１２のおのおのは、たとえば、点光源１６からの光をコリメートする全反射（ＴＩＲ）光学素子と、コリメート光４２の光線を見物人の視点からの所定の視野へ拡散する拡散体を備え得る。バックライト装置８のための点光源１６は、たとえば白熱電球や、ひとつ以上の発光ダイオード（ＬＥＤ）、エレクトロルミネセンスパネル（ＥＬＰ）、ひとつ以上の冷陰極蛍光ランプ（ＣＣＦＬ）、熱陰極蛍光灯（ＨＣＦＬ）を含む任意の放射電磁エネルギーの光源を備え得る。点光源１６はカラー光を生成し得るが、白色光ＬＥＤバックライトもバックライト装置８のさまざまな実施形態に考慮される。一実施形態では、点光源１６は、ひとつ以上の赤色緑色青色（ＲＧＢ）ＬＥＤ点光源を備え得る。ＬＥＤによって発せられた光は、拡散体１８によってわずかに拡散される。拡散体１８は、コリメート光４０の角度スペクトルを光４２のパターンにわずかに増大させてレンズ１４のレンズ並置によって生成される隙間暗線１７を最小化または除去する。光４２の角度スペクトルは、ほぼコリメート光４０に対して±６°ないし±１０°にわずかに増大され得る。コリメート光４０はＬＣＤ素子２２を通過し、続いて、光の角度スペクトルは、拡散体２０によって光４４のパターンにさらに増大または拡散され、特に水平方向Ｈに拡散される。コリメート光４０の光線は垂直中心軸２４に平行な垂直光路に沿って伝搬する。光４０は、２５．４ｍｍのＴＩＲレンズに対して垂直光路に対してほぼ＋／−２°未満の角度で光が光伝搬するように、実質的にコリメートされる。
【００１３】
点光源１６から発散する光４０は、レンズ１４によって垂直方向Ｖにコリメートされる。光４０を垂直方向Ｖにコリメートすることは色収差を最小にし、ＲＧＢ点光源１６によって発せられる光の異なる経路長による色分散を除去する。コリメート光４０は、拡散体システムを使用して、特定または所定の視野に転送される。一実施形態では、拡散体システムはひとつ以上の拡散体を備え得る。一実施形態では、コリメート光４０は、拡散体１８を、続いてＬＣＤ素子２２を透過し得る。一実施形態では、拡散体１８は、レンズ１４の出口面３８（図４）の平坦表面上に形成された微細構造表面であってもよく、あるいは分離した素子として形成されてもよい。例証の実施形態では、拡散体１８は、分離した素子として形成され、光４２をコリメートするように構成されている。ＬＣＤ素子２２から出た光４２は続いて、光４４の光線を拡散するように構成された拡散体２０を透過する。拡散体２０は、光４４を所定の視野に拡散し、それにより、見物人のための広視野角を提供する。拡散体２０は、ホログラフィー拡散体として、さもなければ名高いキノフォーム拡散体として実現され得、コリメート光４０を所定の視野において出力光４４に転送または拡散する。ホログラフィー拡散体の例は、「一般照明のためのＬＥＤ応用の大要」（会議議事録紙）、Ｄａｖｉｄ Ｇ．Ｐｅｌｋａ、Ｋａｖｉｔａ Ｐａｔｅｌ、ＳＰＩＥ第５１８６巻、２００３年１１月や、「キノフォーム−キノフォーム基の拡散体の鋭い形成は照明設計者活用独特ＬＥＤ利点を支援する」、Ｄａｖｉｄ Ｇ．Ｐｅｌｋａ、ＯＥ誌、第３巻、第１０号、１９頁、２００３年１０月に説明されており、それら両者は参照によってここに組み込まれる。
【００１４】
一実施形態では、図２と３に示されたバックライト装置８は、特定の用途（たとえば大型ＬＣＤテレビ）に必要とされ得るような実質的大面積ＬＣＤを照明するのに十分である。バックライト装置８は、輝度増強膜の必要性をなくすために、水平方向Ｈに実質的に広く、垂直方向Ｖに実質的に薄くてよい（たとえば、図１と上記関連説明を参照）。拡散体１８とＴＮまたはＳＴＮ・ＬＣＤ素子２２を透過したコリメート光４０は、コントラストを最大にし、色シフトを最小にするために、実質的にコリメートされたままでいるが、コリメート光４０によって規定される垂直光路に対してほぼ＋／−２°からほぼ＋／−１０°の角度までわずかに拡散されてもよい。多くの現代の用途はより広い視野角を要求するので、拡散体２０は、コリメート光４０と４２が拡散体１８とＬＣＤ素子２２を通過した後にそれをさらに拡散する拡散スクリーンとして形成され得る。拡散体２０はさらに、光がＬＣＤ素子２２を通過した後に、コリメート光４０によって規定される垂直光路に対して＋／−１０°よりも大きい角度に光４４を拡散する。レンズアレイ１０は、高い光学効率と、高い画像コントラストを維持する周辺光の低い後方散乱と、広い視野角を提供する。
【００１５】
バックライト装置８の全体的厚さ（たとえば低プロファイル）を維持するために、高コリメート光４０は、十分に薄い（たとえば、透明物質に対して１．５≧である屈折率に対してｆ＃≦０．２５）バックライト点光源１６と光学部品によって生成され得ることが望ましい。たとえば、バックライトがより薄いほど、コンピューターやテレビためのより大きくより薄いディスプレイを作製する動向が与えられてより望ましい。実質的に薄いバックライト装置８はコントラストを最大にし、ＬＣＤ素子２２の視野角に対する色シフトを最小にする。そのような解決策はＬＣＤ素子２２から独立しており（の外部にあり）、ＬＣＤ素子２２を内部的に修正せずになすことができる。これは、実質的に改善された低プロファイルバックライト装置８を、ここに説明されたまたはされていないものののなかでも、とりわけ、液晶モニターや、ノート型コンピューター、自動ナビゲーション表示、航空電子機器ディスプレイ、航空交通管制ディスプレイ、医療ディスプレイシステムなどの多くの用途での使用のための低減されたコストで提供する。一実施形態では、バックライト装置８は、ほぼ１０〜１３ｍｍの垂直厚さに作られ得る。個別レンズ素子１２は、ほぼ７〜９ｍｍの垂直厚さを有するＴＩＲレンズ素子として形成され得る。拡散体１８と２０は、薄く効率的な光学拡散体スタックを提供するために、ほぼ３〜４ｍｍの垂直厚さに作られ得る。
【００１６】
図４は、ＬＣＤ素子２２のためのバックライト照明光源として働くレンズ１４を備えているレンズ素子１２の一実施形態の断面図である。例証の実施形態では、レンズ１４は垂直中心軸２４を有している。レンズ１４は、たとえば点光源１６によって発せられた光に作用する光源光線逸脱体レンズ２６と、ＴＩＲレンズ２と、ＲＧＢ・ＬＥＤ１６ａを備えている点光源１６を備えている。レンズ１４と同様のＴＩＲレンズ素子と、光源光線逸脱体レンズ２６と同様の光源光線逸脱体レンズ素子は、米国特許第５，５７７，４９３番に開示されており、それは参照によってここに組み込まれる。ＴＩＲレンズ２８は、入口面３６を有する多数の小さい切り子面３４と、例証の実施形態中では、平坦表面を備えている出口面３８を有していることが望ましい。一実施形態では、拡散体１８は、切り子面３４によって課されたあらゆる空間構造をぼかすために出口面３８の平坦表面に形成された微細構造表面であり得る。例証の実施形態では、拡散体１８は、ＴＩＲレンズ２８から分離した素子として形成され、切り子面３４によって引き起こされるあらゆるぼやけがＬＣＤ素子２２の見物人に見えないようにそれらを吸収するために、出口面３８から垂直に間隔を置いて配置されている。逸脱体レンズ２６はまた、点光源１６が高電力出力点光源であるとき、ＴＩＲレンズ２８のための熱保護を提供する。ＴＩＲレンズ２８はプラスチックからなり得、平滑光源光線逸脱体レンズ２６は高温プラスチックやシリコーンやガラスで作ることができ、それらは高温に耐えることができ、ＴＩＲレンズ２８と点光源１６の間の絶縁障壁として働くことができる。レンズ１４の基部は、より大きい角度スペクトルを提供するために、基板３２上に形成され得る。
【００１７】
逸脱体レンズ２６は、図６）に示された反射体１０４と同様な反射体とＴＩＲレンズ２８と一緒に使用されてもよい。一実施形態では、逸脱体レンズ２６は、マッシュルーム輪郭を有している。例証の実施形態では、逸脱体レンズ２６は、軸２４に向かう領域で曲率が減少し、中央外側表面２７ｃで凹形（縮小）になっている凸形外側表面２７ｂの変化曲率よりも大きい曲率（すなわち小さい半径）の半球状凹形内側表面２７ａを有している。平坦底面２７ｄは、ＴＩＲレンズ２８の最外側先端と共平面である。それは、ＴＩＲレンズ２８とも、もし使用されるならば反射体とも干渉しないように位置している。逸脱体レンズ２６は、点光源１６からの光の経路に沿って配置されていて、点光源１６とＴＩＲレンズ２８の間に配置されている。逸脱体レンズ２６は、ＴＩＲレンズ２８の出力において光４０束をより均等に分配するために、垂直軸２４から離間したＴＩＲレンズ２８の部分の方へ光を逸脱させる。逸脱体レンズ２６は、点光源１６からの光の強度の累積角度分布を別の分布に変える非結像光学素子である。ＴＩＲレンズ２８は、ＴＩＲレンズ２８の出口面３８の平坦表面を出る光４０の一様分布を形成する。レンズ１４と同様のＴＩＲレンズ素子の追加の例は、米国特許第５，４０４，８６９号および第５，６５５，８３２号に開示されており、それらは参照によってここに組み込まれる。
【００１８】
図４Ａは、図４に示されたレンズ素子１２の一部の拡大表示である。図４Ａに示されるように、ＴＩＲレンズ２８の平坦表面出口面３８を出る光４０のコリメートは拡散体１８によって維持される。拡散体１８を出る光４２は実質的にコリメートされたままでいるが、コントラストを最大にし、色シフトを最小にするために、ＬＣＤ素子２２を通過する前に、コリメート光４０によって規定される垂直光路に対してほぼ±６°の角度に、いくつかの実施形態ではほぼ±１０°まで、わずかに拡散されてもよい。前に論じたように、コリメート光４２はＬＣＤ素子２２を透過し、続いて拡散体２０を透過する。拡散体２０は、水平方向Ｈにより広い視野を提供するために、光４４を水平方向Ｈに±２０°よりも大きく、いくつかの実施形態では±３０°よりも大きく拡散する。
【００１９】
図５は、ＬＣＤ素子２２のためのバックライト照明光源として働くレンズ９０を備えているレンズ素子１２の一実施形態の断面図である。例証の実施形態では、レンズ９０は垂直中心軸２４を有している。レンズ９０は、ＴＩＲレンズ２８と、拡散体光学部品５４と、前に説明したＬＥＤ１６ａを備えている点光源１６を備えている。拡散体光学部品５４は、基板９４中に延びている好適な穴や溝やくぼみ９２内に部分的に埋設されている。点光源１６から発散する光は、拡散体光学部品５４によって拡散され、小さい切り子面３４の多数の入口面３６を通ってＴＩＲレンズ２８の出口面３８を透過する。光４０の角度スペクトルは、拡散体１８によって水平方向Ｈにわずかに増大される。拡散体１８から発散する光４２は、ＬＣＤ素子２２を通過する前に、コリメート光４０によって規定される垂直光路に対してほぼ±６°の角度に、いくつかの実施形態ではほぼ±１０°まで、実質的にコリメートされる。前に論じたように、コリメート光４２はＬＣＤ素子２２を透過し、続いて拡散体２０を透過する。より広い視野を提供するために、拡散体２０から発散する光４４は、拡散体２０によって±１０°よりも大きく拡散される。
【００２０】
図６は、ＬＣＤ素子２２ためのバックライト照明光源として働くレンズ１００を備えているレンズ素子１２の一実施形態の断面図である。例証の実施形態では、レンズ１００は垂直中心軸２４を有している。レンズ１００は、ＴＩＲレンズ２８と、前に説明したＬＥＤ１６ａ，ｂを備えている点光源１６と、反射体１０４と、反射体１０４の上方に配置された拡散体光学部品１０２を備えている。反射体１０４は、点光源１６からの光を、拡散体光学部品１０２の方へ、そしてＴＩＲレンズ２８の中へ反射し戻すものである。反射体１０４は、高反射表面を備えている一体的半球として形成され得、一般に混合チャンバーと呼ばれ得る。反射体１０４は、基板１０６の下方に配置されている。ＬＥＤ１６ａ，ｂは、基板１０６の下方の反射体１０４内に配置されている。ＬＥＤ１６ａ，ｂによって発せられた光は、反射体１０４の内部反射表面によって反射され、拡散体光学部品１０２によって拡散され、小さい切り子面３４の多数の入口面３６を通ってＴＩＲレンズ２８の出口面３８を透過する。光４０は、拡散体１８によってコリメートされる。拡散体１８から発散する光４２は、ＬＣＤ素子２２を通過しる前に、コリメート光４０によって規定される垂直光路に対してほぼ±６°の角度に、いくつかの実施形態ではほぼ±１０°まで、実質的にコリメートされる。前に論じたように、コリメート光４２はＬＣＤ素子２２を透過し、続いて拡散体２０を透過する。より広い視野を提供するために、拡散体２０から発散する光４４は、拡散体２０によって±１０°よりも大きく拡散される。
【００２１】
図７は、ＬＣＤ素子２２ためのバックライト照明光源として働くレンズ１２０を備えているレンズ素子１２の一実施形態の断面図である。レンズ１２０は、逸脱体レンズ２６と、前に説明したＴＩＲレンズ２８を備えている。レンズ１２０は、開口１２４が形成された白色拡散体１２２の上方に配置されている。点光源１６は、開口１２４の一方の側に配置されている。点光源１６から放射された光１２８を混合する高拡散性反射統合空洞１３０を規定するために、固体白色拡散体１２６が、白色拡散体１２２から垂直方向に間隔を置いて配置されている。固体白色拡散体１２６によって反射された光１３２は、開口１２４を通って受光され、逸脱体レンズ２６に続いてＴＩＲレンズ２８に提供される。点光源１６は、ＲＧＢのほかに白色ＬＥＤ放射光源の両方を備え得る。一実施形態では、反射統合空洞１３０は、９５％を超える反射率を有している。平坦出口面３８を出る光４０の角度スペクトルは、拡散体１８によってわずかに増大される。拡散体１８から発散する光４２は、ＬＣＤ素子２２を通過しる前に、光４０によって規定される垂直光路に対して、ほぼ±６°の角度に、いくつかの実施形態ではほぼ±１０°まで、実質的にコリメートされる。前に論じたように、コリメート光４２はＬＣＤ素子２２を透過し、続いて拡散体２０を透過する。より広い視野を提供するために、拡散体２０から発散する光４４は、拡散体２０によって±１０°よりも大きく拡散される。
【００２２】
上に説明した個別レンズ素子１２は、所望の光学効率に応じた多数の幾何学的図形に形成され得る。したがって、レンズ素子１２は、正方形や、長方形、三角形、六角形、他のさまざまな多角形形状であってよい。個別レンズ素子１２は、ＬＥＤから発散する光がコリメートされない領域にギャップを置かないあらゆる好適な多角形形状またはその組み合わせで形成され得る。六角形レンズ素子は説明の都合から後述する。しかしながら、実施形態はこの文脈に限定されない。
【００２３】
図８は、レンズアレイ１４２を備えている低プロファイルバックライト装置１４０の一実施形態を示している。レンズアレイ１４２は、点光源によって発せられた光をコリメートし、コリメート光にＬＣＤ素子を透過させ、続いてＬＣＤ素子を通過した光を好ましい視野中に拡散して、見物人により広い視野角を提供する光学素子を使用する。例証の実施形態では、レンズアレイ１４２は、個別六角形レンズ素子１４４のアレイとして形成される。レンズ素子１４４は画素と呼ばれ得る。アレイは、ｎｘｍ行列として配列された任意の整数個の個別レンズ素子１４４を含み得、ここでｎは任意の整数値、ｍは任意の整数値であり、一実施形態ではｎ＝ｍであることが理解されるに違いない。個別レンズ素子１４４のサイズと形状は特定の用途に応じて選択され得る。例証の実施形態では、各レンズ素子１４４は六角形を画定する。
【００２４】
図９は、９−９線に沿って破断されたレンズアレイ１４２の断面図である。個別レンズ素子１４４のおのおのは、レンズ１４６と放射電磁エネルギーの点光源１６を備えている。一実施形態では、レンズ素子１４４は、点光源１６からの光をコリメートするＴＩＲ光学素子と、続いてコリメート光４２を所定の視野に拡散する拡散体を備え得る。バックライト装置１４０ための点光源１６は、放射電磁エネルギーの任意の光源を備え得る。一実施形態では、点光源１６は白色ＬＥＤを備え得、別の実施形態では、点光源１６はＲＧＢ・ＬＥＤを備え得る。
【００２５】
図１０は、半径Ｒの円１５２に内接した個別正方形レンズ素子１２の一実施形態を示している。円１５２の半径Ｒは、正方形レンズ素子１２の辺Ｓに基づいて引き出され得る。正方形レンズ素子１２の相対的光学効率ＥＬＲは、正方形レンズ素子１２のそれぞれの面積ＡＬと円１５２の面積ＡＣの比によって決定され得る。円１５２の面積ＡＣは次式によって与えられる。
【数１】
2011510453.tif 000002
【００２６】
正方形レンズ素子１２の面積ＡＬは次式によって与えられる。
【数２】
2011510453.tif 000003
【００２７】
正方形レンズ素子１２の相対的光学効率ＥＬＲは、次式によって与えられる。
【数３】
2011510453.tif 000004
【００２８】
Ｓ＝５．０８ｃｍ（２ｉｎ）に対しては、Ｒ＝５．０８／１．４１４＝３．５９ｃｍである。したがって、次のとおりである。
【数４】
2011510453.tif 000005
【００２９】
上質射出成形円形ＴＩＲレンズがほぼ０．８５すなわち８５％の光学効率を有することはこの分野でよく知られている。したがって、正方形ＴＩＲレンズ素子１２の効率ＥＬは近似的に次式となる。
【数５】
2011510453.tif 000006
【００３０】
図１１は、半径Ｒ＝Ｓの円１５４に内接した個別六角形レンズ素子１４４の一実施形態を示している。六角形レンズ素子１４４の相対的光学効率ＥＬ１Ｒは、六角形レンズ素子１４４のそれぞれの面積ＡＬ１と円１５４の面積ＡＣ１の比によって決定され得る。六角形レンズ素子１４４の六つの辺Ｓのおのおのは二等辺三角形Ｔを規定する。
【００３１】
ひとつの三角形Ｔの面積ＡＴは次式によって与えられる。
【数６】
2011510453.tif 000007
【００３２】
六角形レンズ素子１４４の面積ＡＬ１は次のとおりである。
【数７】
2011510453.tif 000008
【００３３】
円１５４の面積ＡＣ１は次のとおりである。
【数８】
2011510453.tif 000009
【００３４】
六角形レンズ素子１４４の相対的光学効率ＥＬ１Ｒは次のとおりである。
【数９】
2011510453.tif 000010
【００３５】
Ｓ＝Ｒ＝５．０８ｃｍ（２ｉｎ）に対しては次のとおりである。
【数１０】
2011510453.tif 000011
【００３６】
前に述べたように、上質射出成形円形ＴＩＲレンズが０．８５すなわち８５％の光学効率を有することはこの分野でよく知られている。したがって、六角形ＴＩＲレンズ素子１２の効率ＥＬ１はほぼ次のとおりである。
【数１１】
2011510453.tif 000012
【００３７】
低プロファイルバックライト装置をひとつ以上の特定の例に具体化してここに例証および説明したが、それでも図示の細部に限定されることを意図してはいない。低プロファイルバックライト装置の要旨から逸脱することなく、さまざまな修正および構造的変更が成され得る。あらゆる修正および構造的変更は、請求項の同等物の要旨および範囲内にある。したがって、添付の請求項は、続く請求項で述べられる低プロファイルバックライト装置の要旨と矛盾しない方法で広く解釈されることが適切である。
【図１】
2011510453.tif 000013
【図２】
2011510453.tif 000014
【図３】
2011510453.tif 000015
【図４】
2011510453.tif 000016
【図４Ａ】
2011510453.tif 000017
【図５】
2011510453.tif 000018
【図６】
2011510453.tif 000019
【図７】
2011510453.tif 000020
【図８】
2011510453.tif 000021
【図９】
2011510453.tif 000022
【図１０】
2011510453.tif 000023
【図１１】
2011510453.tif 000024
【国際調査報告】
2011510453.tif 000025
2011510453.tif 000026
2011510453.tif 000027